【事件の表示】
　特願２０１７−４６３５８「ショーツ等の衣料」拒絶査定不服審判事件〔平成２９年６月８日出願公開、特開２０１７−１０１３７５〕について、次のとおり審決する。
【結　論】
　本件審判の請求は、成り立たない。
【理　由】
第１　手続の経緯
　本願は、平成２３年６月２２日を出願日とする特願２０１１−１３８７７６号の一部を、平成２７年７月２３日に新たな特許出願（特願２０１５−１４６１１７号）とし、さらにその一部を、平成２９年３月１０日に新たな特許出願としたものであって、その手続の経緯は、次のとおり。
　　平成２９年３月１３日　　　　　手続補正書及び上申書提出
　　平成３０年２月１５日付け　　　拒絶理由通知
　　平成３０年４月２０日　　　　　意見書及び手続補正書提出
　　平成３０年６月１４日付け　　　拒絶理由通知
　　平成３０年８月９日　　　　　　意見書提出
　　平成３０年１０月３０日付け　　拒絶査定
　　平成３１年２月１日　　　　　　審判請求書提出
第２　本願発明
　本願特許請求の範囲の請求項１〜８に係る発明（以下「本願発明１」等という。）は、上記平成３０年４月２０日に提出した手続補正書により補正した、本願特許請求の範囲の請求項１〜８にそれぞれ記載された事項により特定されるもので、そのうち、請求項１に記載されたものは次のとおりである。
「【請求項１】
　下端に足繰り形成部（１５）を左右対称に上方へ向けて入り込む湾状に形成し下腹部を覆う伸縮性を有する前面覆い部分（１１）と、臀部を包み込んで覆う伸縮性を有する背面覆い部分（１２）とを有する身頃（１４）と、前記前面覆い部分（１１）の下端の内股前部（１６）と前記背面覆い部分（１２）の下端の内股後部（１７）との間に配設され股間部を覆うまち部（１３）とを備えており、
　前記身頃（１４）は、前記前面覆い部分（１１）の左右両側に前記背面覆い部分（１２）の左半分および右半分が形成されて、前記背面覆い部分（１２）の左半分の左側縁と前記背面覆い部分（１２）の右半分の右側縁との縫合部を有する筒状であり、
　前記身頃（１４）のうち、臀部の頂上部よりも上側から下端部にわたる範囲に対応する臀部の包み込み部分の領域は、前記背面覆い部分（１２）の左右方向中央部を上下方向に通る後中心線（Ｓ２）に沿って開かれた前記身頃（１４）の展開状態において、前記前面覆い部分（１１）の左右方向中央部を上下方向に通る前中心線（Ｓ１）に対し、前記背面覆い部分（１２）の後中心線（Ｓ２）がこの後中心線（Ｓ２）の下方延長線を前中心線（Ｓ１）の下方延長線に近付ける下方窄まりの状態に設定されていることを特徴とする、ショーツ等の衣料。」
第３　原査定の拒絶の理由
　原査定の拒絶の理由の概要は次のとおりである。
１．（新規性）この出願の下記の請求項に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。
２．（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
３．（明確性）この出願は、特許請求の範囲の記載が下記の点で、特許法第３６条第６項第２号に規定する要件を満たしていない。
　　　　　　記　　　（引用文献等については引用文献等一覧参照）
　　　　　　　　　＜引　用　文　献　一　覧＞
１.特開２０１０−０８４２９２号公報（以下「引用文献１」という。）
●理由１（新規性）について
　本願発明１〜４は、引用文献１に記載された発明である。
●理由２（進歩性）について
（１）本願発明１〜４について
　本願発明１〜４は、引用文献１に記載された発明に基いて、当業者が容易に発明をすることができたものである。引用文献１に記載された発明のいずれの範囲を「下窄まりの状態」とするかは、着用者の体型、フィット性等を考慮して、当業者が適宜選択し得る設計上の事項である。
　よって、本願発明１〜４は、引用文献１に記載された発明に基いて当業者が容易に発明をすることができたものである。
（２）本願発明５〜８について
　本願発明５〜８の各々において特定されたショーツ等の衣料の各部分の具体的な寸法の関係は、着用者の体型、フィット性等を考慮して、当業者が適宜選択し得る設計的事項である。
　よって、本願発明５〜８は、引用文献１に記載された発明に基いて当業者が容易に発明をすることができたものである。
●理由３（明確性）について
　本願発明１〜４には、「臀部の頂上部よりも上側から下端部にわたる範囲に対応する臀部の包み込み部分の領域」と記載されているが、「臀部の頂上部」が「ショーツ等の衣料」におけるどのような位置を示すのかが不明確であって、結果として、当該記載の「領域」の範囲も不明確である。
　そして、本願発明５〜８は、本願発明１〜４のいずれかを引用するものであるから、本願発明５〜８も不明確である。
第４　引用文献
１．引用文献１の記載等
　本願遡及出願日前に頒布された刊行物である引用文献１には、図面とともに次の事項が記載されている。
（１）「【発明が解決しようとする課題】
【０００７】
　しかし、上記特許文献１のものは、二重生地使いのテープ生地を両裾口廻りに縫着するのでテープ生地が分厚くなり、肌に当たってゴロつき感が生じると共に、厚みによる段差が生じ、その段差がアウターに反映され、アウターの外側から段差が見えてしまい着用者の外観を著しく低下させるという問題点があった。また、上記特許文献２のものは、裾口が捲れ上がったりすることから、着用安定感があまりよくないという問題点があった。
【０００８】
　本発明は、上記のような問題を解決することを課題として研究開発されたもので、ショーツやショーツガードル、ショートガードルなど股部を有する衣類における裾口廻りに接ぎを入れ、当たりを柔らかくして鼠蹊部への喰いこみをなくすると共に、フィット感がよくなり、日常生活での色々の動きにおいても、下尻をしっかりカバーしてずり上がりによるハミ尻などが生じないようにした股部を有する衣類を提供することを目的とするものである。」
（２）「【課題を解決するための手段】
【０００９】
　上記の課題を解決し、その目的を達成する手段として、本発明は、前身頃と左右脇身頃と裾身頃とから構成される股部を有する衣類であって、前身頃の両側下辺部を凹状湾曲面とし、左右脇身頃の下辺を緩やかな凹凸弧状面と深い凹弧状面と傾斜面に形成し、該傾斜面を前身頃の下辺部に縫着して裾口廻りを形成すると共に、上端凹弧状面、上部凸弧状面、緩やかな凹弧状面並びに下部細幅部からなる二つ折りされた裾身頃の重合片側を縫着ラインとし、上端凹弧状面の部位を前身頃の凹状湾曲面の部位に、上部凸弧状面の部位を前身頃の側辺と脇身頃の内側辺の下端部と一致させ、緩やかな凹弧状面の部位を脇身頃の緩やかな凹凸弧状面の部位に、下部細幅部の部位を脇身頃の深い凹弧状面の部位に、下端部を前身頃の下辺部にそれぞれ合致させて縫着したことを特徴とする股部を有する衣類を開発し、採用した。
【００１０】
　また、本発明では、上記のように構成した股部を有する衣類において、前記前身頃、左右脇身頃、裾身頃はそれぞれ伸縮性及び弾力性に優れているベア天竺で編成されていることを特徴とする股部を有する衣類を開発し、採用した。」
（３）「【発明の効果】
【００１１】
　本発明は、前身頃の両側下辺部を凹状湾曲面とし、左右脇身頃の下辺を緩やかな凹凸弧状面と深い凹弧状面と傾斜面に形成し、該傾斜面を前身頃の下辺部に縫着して裾口廻りを形成し、該裾口廻りに、二つ折りされた裾身頃の重合片側を縫着ラインとし、前身頃の凹状湾曲面の部位に、裾身頃の上端凹弧状面の部位を、前身頃の側辺と脇身頃の内側辺の下端部に、上部凸弧状面の部位を一致させ、脇身頃下辺の緩やかな凹凸弧状面部の部位に、裾身頃の緩やかな凹弧状面の部位を、脇身頃の深い凹弧状面の部位に、裾身頃の下部細幅部の部位を、下端部を前身頃の下辺部にそれぞれ合致させて縫着したものであるから、裾口廻りのラインと裾身頃によるラインの異なりにより、身体に沿うパターンに仕上がり裾身頃が立体的になり太股部によく馴染みフィット感が増すと共に、締め付け感や窮屈感がなくなり履き心地が良好になる。」
（４）「【発明を実施するための最良の形態】
【００１４】　
　以下に、本発明の実施の形態をショーツの例で説明すれば、図１はショーツの正面図、図２はショーツの背面図、図３はショーツの右側面図、図４はショーツの展開図、図５は裾身頃を二つ折りした正面図である。
【００１５】
　１は細い綿糸とポリウレタン糸との混合糸または細い綿糸とポリウレタン糸とナイロン糸との混合糸により伸縮性と弾力性に富むようベア天竺編みされた腹部を覆う前身頃であり、上辺２と、下辺３と、下方に至るに従い徐々に拡がる傾斜状の左右両側辺４，４と、その両側辺４，４に連設し内方に向かって浅い凹状湾曲面５，５に形成されている。
【００１６】
　６，７は前身頃１と同じベア天竺編みされた側腹部から臀部を覆う左右一対の脇身頃であり、前記前身頃１の左右両側辺４，４と接ぐ内側辺８，９および臀部の形状に沿う曲線の外側辺１０，１１を後部中心で縫合すると共に、前身頃１の左右両側辺４，４と脇身頃６，７の内側辺８，９の下端部４ａ，８ａ、４ａ，９ａから外側辺１０，１１の下端部１０ａ，１１ａまでの下辺１２，１３を、緩やかに傾斜する凹凸弧状面１４，１５と、小さくて深い凹弧状面１６，１７と、傾斜面１８，１９に裁断形成されてあり、該傾斜面１８，１９を前身頃１の下辺部３に縫着して裾口廻り２０，２１を形成してある。
【００１７】
　２２，２３は前記前身頃１と脇身頃６，７と同じベア天竺編みで編成された長手状の裾身頃であり、図４の展開図に示すように、浅いＶ字状に形成された上端部２４，２５の両側から下端に向かって凹弧状面２６，２６、２７，２７が形成されており、その上端凹弧状面２６，２６、２７，２７に連設する外方に突出する上部凸弧状面２８，２８、２９，２９が設けられ、その上部凸弧状面２８，２８、２９，２９に繋がる緩やかな凹弧状面３０，３０、３１，３１が形成されていると共に、下方に向かって次第に窄まり下部細幅部３２，３２、３３，３３を経て浅い逆Ｖ字状の下端部３４，３５に連なっている。この裾身頃２２，２３は、図５に示すように、幅方向の中央部を長さ方向に沿って二つ折りされたもので、最大幅の上部凸弧面２８、２９が約６０〜７０ｍｍ、最小幅の下部細幅部２９，２９が約２０〜２２ｍｍになっている。              
【００１８】
　このように構成された本発明の実施形態におけるショーツの縫製手段と作用を説明すれば、図４の展開状態から、裾身頃２２，２３を、図５に示すように、幅方向の中心を長さ方向に二つ折りして外側３６，３７を直線状とすると共に、内側３８，３９の重なり合う側が縫着ラインになる。
【００１９】
　すなわち、上端部２４，２５を前身頃１の下辺３に縫着し、上端凹弧状面２６，２７の部位を、前身頃１の凹状湾曲面５，５の部位に、上部凸弧状面２８，２９の部位を、前身頃１の両側辺４，４と脇身頃６，７の内側辺８，９の下端部４ａ，８ａ、４ａ，９ａと一致させ、緩やかな凹弧状面３０，３１の部位を、脇身頃６，７の下辺１２，１３の緩やかな凹凸弧状面１４，１５の部位に、下部細幅部３２，３３の部位を、脇身頃６，７の深い凹弧状面１６，１７の部位に合致させ、さらに裾身頃２２，２３の下端部３４，３５を前身頃１の下辺３にそれぞれ合致させて縫着させることにより、裾口廻り２０，２１に裾身頃２２，２３が縫着されてショーツになる。
【００２０】
　裾口廻り２０，２１に縫製された裾身頃２２，２３は、ベア天竺で編成されており、伸縮性、弾力性に富み、前身頃１の左右両側辺４，４と脇身頃６，７の内側辺の下端部４ａ，８ａ、４ａ，９ａで裾廻り部が最大広幅になり、左右脇身頃６，７の下辺１２，１３の傾斜面１８，１９で最小幅となる裾身頃２２，２３が縫製され、鼠蹊部への喰い込み圧迫感がなくなり着用感に優れる。
【００２１】
　また、裾口廻り２０，２１に形成される縫着ラインの凹状湾曲面５，５と、前身頃の側辺４，４と脇身頃６，７の内側辺８，９の下端部４ａ，８ａ、４ａ，９ａと、緩やかな凹凸弧状面１４，１５と、深い凹弧状面１６，１７と、傾斜面１８，１９と、裾身頃２２，２３の縫着ラインの上端凹弧状面２６，２７と、上部凸弧状面２８，２９と、緩やかな凹弧状面３０，３１と、下部細幅部３２，３３の縫い合わせラインがそれぞれ異なることにより、前身頃１および脇身頃６，７と裾身頃２２，２３との間に角度が生じて裾身頃２２，２３が立ち上がった状態になって図３に示すように、裾口が前方に向くことになり、歩行時や椅子に座って足が前向きに動いたとしても、裾口のずり上がりによるお尻への喰いこみがなく、下尻をしっかりカバーしているのでハミ尻を防止できる。さらに、太股部のラインに沿うことになり足を動かしても肉がにげないのでハミ尻になることがない。また、左右の裾身頃間の間隔が比較的広くなっているので、動いても内側に片寄ったりせず下尻をしっかりカバーでき、美しいヒップラインを現出する。
【００２２】
　以上、本発明の実施の形態についは、ショーツで、前身頃と左右脇身頃を別体とした例で説明したが、連続した一連の場合でもよく、また左右脇身頃を後部中心線で縫製するようにしたが、この左右脇身頃においても、連続した一枚の生地の場合でも良いのは勿論のことであり、かつショーツガードル、ショートガードル、ボディスーツなどでもよく、要するに発明の目的を達成でき、かつ発明の要旨を逸脱しない範囲内において種々の設計変更が可能であることは言うまでもない。」
（５）【図１】〜【図５】
（６）認定事項
ア．引用文献１には、前身頃１、脇見頃６及び脇見頃７が記載され、「前記前身頃１の左右両側辺４，４と接ぐ内側辺８，９および臀部の形状に沿う曲線の外側辺１０，１１を後部中心で縫合する」（【００１６】）ことにより一体に構成されるものであることが理解できる。
イ．ここで、本願発明１には、「・・・前記背面覆い部分（１２）の左半分の左側縁と前記背面覆い部分（１２）の右半分の右側縁との縫合部を有する筒状」という記載があり、また、本願発明３には、「・・・前記前身頃（１４）は、前記前面覆い部分（１１）の左右両側に背面覆い部分（１２）が一体に連続して設けられた筒状であり、」という記載がある。さらに本件特許明細書には、「・・・身頃（１４）は、背面覆い部分（１２）の後中心線（Ｓ２）の箇所は一体に形成されていて、この後中心線（Ｓ２）以外の前中心線（Ｓ１）の箇所、あるいは図９の点線で示すように前面覆い部分（１１）の左右両側（Ｘ１，Ｘ２またはＹ１，Ｙ２）の箇所、あるいはその他の適宜の箇所で縫合する身頃であってもよい。」（【００２８】）という記載もある。したがって、本願発明においては異なる二つの部分の境界は、当該二つの部分が縫合された縫合部として形成されている場合も有り、当該二つの部分が連続されて形成されている場合もあるといえる。
ウ．そうすると、引用文献１に記載された前身頃１、脇見頃６及び脇見頃７とを縫合により一体にし、一つとみたものは、下端凹状湾曲面５を左右対称に上方に向けて入り込む湾状に形成し下腹部を覆う前面を覆う部分と、臀部を包み込んで覆う背面を覆う部分とを有する身頃であるといえる。そして、上記一つとみたものから、股間部分を除いたものを「身頃」と総称することができる。ここで、引用文献１に記載された前身頃１、脇見頃６及び脇見頃７は、弾力性に富むベア天竺編みされた（上記摘記事項（４）、【００１５】、【００１６】）ものであるから、これら前身頃１、脇見頃６及び脇見頃７は、伸縮性を有するものであるといえる。
エ．【図４】の「ショーツの展開図」におけるショーツの各部の配置と、上記摘記事項（４）の「・・・臀部の形状に沿う曲線の外側辺１０，１１を後部中心で縫合する」（【００１６】）との記載から、上記身頃は、上記前面を覆う部分の左右両側に前記背面を覆う部分の左半分の外側辺１０と前記背面を覆う部分の右半分の外側辺１１に縫合部を有する。
オ．【図２】は、「ショーツの背面図」であって、【図４】の図示されたものを踏まえると、身頃には、前記背面を覆う部分の左右方向中央部を上下方向に通る背面中心線に沿って開かれた前記身頃の展開状態において、前記前面を覆う部分の左右方向中央部を上下方向に通る前面中心線に対し、前記背面を覆う部分の背面中心線がこの背面中心線の下方延長線を前面中心線の下方延長線に近づける下方窄まりの状態に設定されていて、それは身頃のうち、臀部のある部分から下端部に亘る範囲に対応する臀部の堤込み部分の領域であることが看取できる。
カ．【図１】及び【図４】の図示から、前記前面を覆う部分の下端の下辺３と前記背面を覆う部分の下端の内股の後部との間に配設され股間部を覆う股間部分を備えたものが看取できる。
２．引用発明
　上記１．の摘記事項（１）〜（４）、（５）の図示、認定事項（６）ア．〜カ．を総合すると、引用文献１には、次の引用発明が記載されている。
「下端凹状湾曲面５を左右対称に上方に向けて入り込む湾状に形成し下腹部を覆う伸縮性を有する前面を覆う部分と、臀部を包み込んで覆う伸縮性を有する背面を覆う部分とを有する、前身頃１と脇見頃６及び７を合わせた身頃と、前記前面を覆う部分の下端の下辺３と前記背面を覆う部分の下端の内股の後部との間に配設され股間部を覆う股間部分とを備えており、
　前記身頃は、前記前面を覆う部分の左右両側に前記背面を覆う部分の左半分及び右半分が形成されて、前記背面を覆う部分の左半分の外側辺１０と前記背中を覆う部分の右半分の外側辺１１との縫合部を有する筒状であり、
　前記身頃のうち、臀部のある部分から下端部にわたる範囲に対応する臀部の包み込み部分の領域は、前記背面を覆う部分の左右方向中央部を上下方向に通る背面中心線に沿って開かれた前記身頃の展開状態において、前記前面を覆う部分の左右方向中央部を上下方向に通る前面中心線に対し、前記背面を覆う部分の背面中心線がこの背面中心線の下方延長線を前面中心線の下方延長線に近づける下方窄まりの状態に設定されている、ショーツ。」
第５　対比
　本願発明１と引用発明とを対比する。
　引用発明の「ショーツ」は、本願発明１の「ショーツ等の衣料」に相当する。
　引用発明の「下端凹状湾曲面５」は、本願発明１の「足繰り形成部（１５）」に相当する。
　引用発明の「前面を覆う部分」、「背面を覆う部分」、「身頃」は、本願発明１の「前面覆い部分（１１）」、「背面覆い部分（１２）」、「身頃（１４）」に、それぞれ相当する
　引用発明の「下辺３」は、本願発明１の「下端の内股前部（１６）」に相当する。
　引用発明の「内股の後部」は、本願発明１の「内股後部（１７）」に相当する。
　引用発明の「外側辺１０」及び「外側辺１１」は、本願発明の「左側辺」及び「右側辺」にそれぞれ相当する。
　引用発明の「股間部分」は、本願発明１の「まち部（１３）」に相当する。
　引用発明の「前面中心線」及び「背面中心線」は、本願発明１の「前中心線（Ｓ１）」及び「後中心線（Ｓ２）に、それぞれ相当する。
　引用発明の「臀部のある部分」と、本願発明１の「臀部の頂上部よりも上側」の位置とは、「臀部」の下端よりも上側の位置である限りにおいて一致する。
　そうすると、本願発明１と引用発明とは、次の＜一致点＞で一致し、＜相違点＞で相違する。
＜一致点＞
　下端に足繰り形成部を左右対称に上方へ向けて入り込む湾状に形成し下腹部を覆う伸縮性を有する前面覆い部分と、臀部を包み込んで覆う伸縮性を有する背面覆い部分とを有する身頃と、前記前面覆い部分の下端の内股前部と前記背面覆い部分の下端の内股後部との間に配設され股間部を覆うまち部とを備えており、
　前記身頃は、前記前面覆い部分の左右両側に前記背面覆い部分の左半分および右半分が形成されて、前記背面覆い部分の左半分の左側縁と前記背面覆い部分の右半分の右側縁との縫合部を有する筒状であり、
　前記身頃のうち、前記臀部の下端よりも上側から下端部にわたる範囲に対応する臀部の包み込み部分の領域は、前記背面覆い部分の左右方向中央部を上下方向に通る後中心線に沿って開かれた前記身頃の展開状態において、前記前面覆い部分の左右方向中央部を上下方向に通る前中心線に対し、前記背面覆い部分の後中心線がこの後中心線の下方延長線を前中心線の下方延長線に近付ける下方窄まりの状態に設定されている、ショーツ等の衣料。
＜相違点１＞
　本願発明１は、「身頃（１４）」のうち、前中心線（Ｓ１）に対し、後中心線（Ｓ２）の下方延長戦を前中心線（Ｓ１）の下方延長線に近づける下方窄まりの状態に設定されている領域が、「臀部の頂上部よりも上側から」であるのに対し、引用発明は「臀部」の下端よりも上方の「ある部分」であって臀部の頂上部との上下方向における位置関係が明らかではない点。
第６　判断
１．＜相違点１＞について
　上記＜相違点１＞について検討する。
　上記第４の１．摘記事項（４）に示したように、引用文献１には、「・・・前身頃１および脇身頃６，７と裾身頃２２，２３との間に角度が生じて裾身頃２２，２３が立ち上がった状態になって図３に示すように、裾口が前方に向くことになり、歩行時や椅子に座って足が前向きに動いたとしても、
裾口のずり上がりによる
２．作用効果について
　引用発明は、上記１．に示した「歩行時や椅子に座って足が前向きに動いたとしても、裾口のずり上がりによるお尻への喰いこみがなく、下尻をしっかりカバーしているのでハミ尻を防止できる。」との作用効果を奏するものであるところ、そのような作用効果を奏するショーツであるならば、本願発明１の作用効果である「ヒップ裾ラインがずり上がりの防止」及び「ヒップ下部へのフィット性の向上」を奏するといえる。
　したがって、本願発明１が奏する作用及び効果は、当業者が容易に予測し得る範囲以上のものであるとは認められない。
３．請求人の主張について
　請求人は平成３１年２月１日に提出された本件審判請求書において、「・・・引用文献１の図１−４には、前述のとおり、臀部の頂部付近から「下部窄まりの状態」とすることは全く記載されていない。また、現実に、本願発明のように下窄まりの状態を臀部の頂部より上側から開始する構成を採用した先行技術・先行文献も、動機付けになるような先行技術・先行文献も一つもない。さらに、下窄まりの状態を臀部の頂部より上側に設定する構成が、着用者の体型・フィット性等を考慮して、当業者が適宜選択し得る設計的事項であったとする実体も全くない。」（３．（ｄ−１））と主張しているから検討する。
　上記１．に示したように、引用文献１には、「裾口のずり上がりによるお尻への喰いこみがなく、下尻をしっかりカバーしているのでハミ尻を防止」することの動機付けがあり、臀部の頂上部よりも上方に位置する「ある部分」から「身頃」の下端部までの部分が下方窄まりの状態を採用すれば、「裾口」が「ずり上がろう」とする動きが妨げられることは、当業者にとって技術常識であるから、上記請求人の主張は採用できない。
４．小括
　上記１．〜３．において検討したように、、本願発明１は、引用発明に基いて当業者が容易に発明をすることができたものであるから、特許法第２９条第２項の規定により特許を受けることができない。
第７　むすび
　以上のとおり、本願発明１は、特許法第２９条第２項の規定により特許を受けることができないから、その他の請求項について言及するまでもなく、本願は拒絶されるべきものである。
　
　よって、結論のとおり審決する。